(57)【要約】【課題】ＬＴＯＤ（Local Time Offset Descriptor）を用いることなくサマータイムの開始又は終了を判断することができる放送受信装置及び放送受信方法を提供すること。【解決手段】放送受信装置１０では、放送局から番組と共に送信された番組情報が受信される。この番組情報には、各番組の放送開始時刻及び放送時間が含まれている。このため、放送開始時刻及び放送時間から、番組の放送終了時刻を算出することができる。受信部１１で番組情報が受信されると、算出部１７で先行番組の放送終了時刻が算出される。そして、時間差判断部１８によって、先行番組に続く後続番組の放送開始時刻と先行番組の放送終了時刻との時間差の有無が判断される。開始終了判断部１９は、時間差があることを条件として、サマータイムが開始又は終了されると判断する。【選択図】図１
2010141530.tif 000002
【特許請求の範囲】
【請求項１】
番組を受信する放送受信装置であって、
各番組の放送開始時刻及び放送時間を含む番組情報を放送信号として受信し、トランスポートストリームとして出力する受信部と、
前記トランスポートストリームから前記番組情報を分離する分離部と、
前記番組情報から各番組の放送開始時刻及び放送時間を抽出する番組情報抽出部と、
先行番組の前記放送開始時刻に前記先行番組の前記放送時間を加算して当該先行番組の放送終了時刻を算出する算出部と、
前記先行番組に続く後続番組の放送開始時刻と前記先行番組の放送終了時刻との時間差の有無を判断する時間差判断部と、
前記時間差判断部によって時間差があると判断されたことを条件として、サマータイムが開始又は終了されると判断する開始終了判断部とを備える、放送受信装置。
【請求項２】
前記開始終了判断部は、前記後続番組の放送開始時刻が前記先行番組の放送終了時刻よりも後の時刻であるか前の時刻であるかを判断し、後の時刻である場合にサマータイムが開始されると判断し、前の時刻である場合にサマータイムが終了されると判断する、請求項１に記載の放送受信装置。
【請求項３】
前記時間差判断部は、２以上の所定数の放送チャンネルについて前記時間差の有無を判断し、
前記開始終了判断部は、前記時間差判断部によって前記所定数の放送チャンネルの全てについて時間差があると判断された場合に、サマータイムが開始又は終了されると判断する、請求項１又は２に記載の放送受信装置。
【請求項４】
前記受信部は、現在の日付と時刻を示す現在時刻情報、及び前記現在時刻情報が示す時刻とサマータイムとの時間差を示す時差情報のうち、少なくとも前記現在時刻情報を含む時間情報を放送信号として更に受信し、
前記受信部によって受信された時間情報に前記現在時刻情報及び前記時差情報の両方が含まれているか否かを判断する時間情報判断部を更に備え、
前記開始終了判断部は、前記時間情報判断部によって両方が含まれていると判断された場合に、前記現在時刻情報及び前記時差情報に基づいて、サマータイムが開始又は終了されることを判断する、請求項１から３のいずれかに記載の放送受信装置。
【請求項５】
前記番組情報及び開始終了判断部の判断結果に基づいて、サマータイムの開始又は終了を示す電子番組表を作成する制御部と、
前記制御部によって作成された電子番組表を表示する表示部とを更に備える、請求項１から４のいずれかに記載の放送受信装置。
【請求項６】
番組を受信する放送受信方法であって、
各番組の放送開始時刻及び放送時間を含む番組情報を放送信号として受信し、トランスポートストリームとして出力するステップと、
前記トランスポートストリームから前記番組情報を分離するステップと、
前記番組情報から各番組の放送開始時刻及び放送時間を抽出するステップと、
先行番組の前記放送開始時刻に前記先行番組の前記放送時間を加算して当該先行番組の放送終了時刻を算出するステップと、
前記先行番組に続く後続番組の放送開始時刻と前記先行番組の放送終了時刻との時間差の有無を判断するステップと、
前記時間差の有無を判断するステップで時間差があると判断した場合に、サマータイムが開始又は終了されると判断するステップとを含む、放送受信方法。
【発明の詳細な説明】
【技術分野】
【０００１】
本発明は、番組の名称、放送日時、内容の説明などの番組に関する情報を受信する放送受信装置及び放送受信方法に関する。
【背景技術】
【０００２】
太陽が出ている時間帯を有効活用するために、夏の間だけ時間を進める所謂サマータイム（Summer Time ）制度が導入されている国や地域が存在する。このサマータイム制度は、地球温暖化対策の一環として、日本でも本格的な導入が検討されている。このサマータイム制度が実施された場合には、標準時間（ウインタータイム）とサマータイムとが切り替えられる際に様々な不具合が生じる。例えば、放送を受信する放送受信装置では、電子番組表（ＥＰＧ：Electric Program Guide）に表示されている時刻が標準時間であるのかサマータイムであるのかが明確ではなく、ユーザが所望の番組を視聴できないおそれがあった。かかる問題を解決するものとしては、特許文献１に開示されている映像信号受信装置がある。
【０００３】
特許文献１に記載の映像信号受信装置は、サマータイムの開始日時と終了日時、標準時間とサマータイムとの時間差（例えば１時間）が予め記憶されている。この映像信号受信装置では、サマータイムの開始日時に時間を１時間進めることで、標準時間からサマータイムに変更される。また、サマータイムの終了日時に時間を１時間遅らせることで、サマータイムから標準時間に戻される。この映像信号受信装置で表示される電子番組表（以下「ＥＰＧ」ともいう。）では、サマータイムの開始に伴って削除される時間帯が他の時間帯とは異なる色で表示される。また、サマータイムの終了時には、時間を遅らせるためにＡＭ１：００〜ＡＭ２：００が２回存在するので、ＡＭ１：００（ＦＩＲＳＴ）、ＡＭ１：００（ＳＥＣＯＮＤ）、ＡＭ２：００のように時刻が表示される。このため、ユーザは、ＥＰＧからサマータイムの開始又は終了を容易に把握することができる。
【０００４】
日本のデジタル放送には、サマータイムの実施に備えて、ＴＯＴ（Time Offset Table）と呼ばれる時間情報を送信する規格が存在する（非特許文献１，２参照）。このＴＯＴには、日本の現在の日時及び時刻を示すJST＿time に加え、ＬＴＯＤ（Local Time Offset Descriptor）と呼ばれるサマータイムに関する情報を更に含めることができる。このため、特許文献１の映像信号受信装置は、ＬＴＯＤを含むＴＯＴを受信することによって、サマータイムの開始日時と終了日時、標準時間とサマータイムとの時間差を取得することが可能である。
【特許文献１】特許第３９３７１５３号明細書
【非特許文献１】ＡＲＩＢ  ＳＴＤ−Ｂ１０（デジタル放送に使用する番組配列情報  ）
【非特許文献２】ＡＲＩＢ  ＴＲ−Ｂ１５（ＢＳ／広帯域ＣＳデジタル放送運用規定  第２分冊）
【発明の開示】
【発明が解決しようとする課題】
【０００５】
ところで、日本ではサマータイム制度が本格的に導入されておらず、ＴＯＴにＬＴＯＤを含めるといった運用が行われていないのが現状である。このため、サマータイム制度が本格的に導入された場合に、現在の規格とは異なる運用がなされることも考えられる。例えば、ＴＯＴにＬＴＯＤを含める代わりに、JST＿time そのものを例えば１時間進めたり遅らせたりするといった運用がなされることも考えられる。このような運用がなされた場合、従来の放送受信装置では、サマータイムの開始又は終了を判断することができない。その結果、放送受信装置のユーザが、ＥＰＧからサマータイムの開始又は終了を認識することができなくなるといった不利益を被るおそれがある。
【０００６】
それ故に、本発明の目的は、ＬＴＯＤを用いることなくサマータイムの開始又は終了を判断することができる放送受信装置及び放送受信方法を提供することである。
【課題を解決するための手段】
【０００７】
上記課題を解決するために、本発明の一局面は、番組を受信する放送受信装置であって、受信部と、分離部と、番組情報抽出部と、算出部と、時間差判断部と、開始終了判断部とを備える。受信部は、各番組の放送開始時刻及び放送時間を含む番組情報を放送信号として受信し、トランスポートストリームとして出力する。分離部は、前記トランスポートストリームから前記番組情報を分離する。番組情報抽出部は、前記番組情報から各番組の放送開始時刻及び放送時間を抽出する。算出部は、先行番組の前記放送開始時刻に前記先行番組の前記放送時間を加算して当該先行番組の放送終了時刻を算出する。時間差判断部は、前記先行番組に続く後続番組の放送開始時刻と前記先行番組の放送終了時刻との時間差の有無を判断する。開始終了判断部は、前記時間差判断部によって時間差があると判断されたことを条件として、サマータイムが開始又は終了されると判断する。
【０００８】
他の局面では、前記開始終了判断部は、前記後続番組の放送開始時刻が前記先行番組の放送終了時刻よりも後の時刻であるか前の時刻であるかを判断し、後の時刻である場合にサマータイムが開始されると判断し、前の時刻である場合にサマータイムが終了されると判断する。
【０００９】
他の局面では、前記時間差判断部は、２以上の所定数の放送チャンネルについて前記時間差の有無を判断し、前記開始終了判断部は、前記時間差判断部によって前記所定数の放送チャンネルの全てについて時間差があると判断された場合に、サマータイムが開始又は終了されると判断する。
【００１０】
他の局面では、前記受信部は、現在の日付と時刻を示す現在時刻情報、及び前記現在時刻情報が示す時刻とサマータイムとの時間差を示す時差情報のうち、少なくとも前記現在時刻情報を含む時間情報を放送信号として更に受信し、前記受信部によって受信された時間情報に前記現在時刻情報及び前記時差情報の両方が含まれているか否かを判断する時間情報判断部を更に備える。この場合、前記開始終了判断部は、前記時間情報判断部によって両方が含まれていると判断された場合に、前記現在時刻情報及び前記時差情報に基づいて、サマータイムが開始又は終了されることを判断する。
【００１１】
他の局面は、前記番組情報及び開始終了判断部の判断結果に基づいて、サマータイムの開始又は終了を示す電子番組表を作成する制御部と、前記制御部によって作成された電子番組表を表示する表示部とを更に備える。
【００１２】
また、本発明の一局面は、番組を受信する放送受信方法であって、各番組の放送開始時刻及び放送時間を含む番組情報を放送信号として受信し、トランスポートストリームとして出力するステップと、前記トランスポートストリームから前記番組情報を分離するステップと、前記番組情報から各番組の放送開始時刻及び放送時間を抽出するステップと、先行番組の前記放送開始時刻に前記先行番組の前記放送時間を加算して当該先行番組の放送終了時刻を算出するステップと、前記先行番組に続く後続番組の放送開始時刻と前記先行番組の放送終了時刻との時間差の有無を判断するステップと、前記時間差の有無を判断するステップで時間差があると判断した場合に、サマータイムが開始又は終了されると判断するステップとを含む。
【発明の効果】
【００１３】
本発明によれば、電子番組表を生成するために必要な番組情報に基づいてサマータイムの開始又は終了が判断される。したがって、ＬＴＯＤを用いることなくサマータイムの開始又は終了を判断することができる。
【発明を実施するための最良の形態】
【００１４】
（第１の実施形態）
以下、適宜図面を参照しつつ本発明の第１の実施形態について説明する。まず、本発明の第１の実施形態に係る放送受信装置１０の構成について説明する。なお、本実施形態では、本発明に係る放送受信装置が放送局からデジタル放送を受信するデジタル放送受信装置である形態について説明する。ただし、本発明に係る放送受信装置は、アナログ放送を受信するアナログ放送受信装置であってもよいし、デジタル放送とアナログ放送の双方を受信可能な放送受信装置であってもよい。
【００１５】
図１は、本発明の第１の実施形態に係る放送受信装置１０の構成を示すブロック図である。図１に示されるように、放送受信装置１０は、受信部１１、信号分離部１２、音声生成部１３、映像生成部１４、映像合成部１５、番組情報抽出部１６、算出部１７、時間差判断部１８、開始終了判断部１９、制御部２０、表示部２１、及びスピーカ２２を備えている。
【００１６】
受信部１１は、放送局（例えばテレビ局）から送信されるデジタル放送を受信するものである。本実施形態では、受信部１１が４つの放送チャンネルのデジタル放送を受信する形態について説明するが、受信部１１が受信する放送チャンネル数はこれに限定されるものではない。受信部１１が受信する放送チャンネル数は６つや８つ等であってもよい。
【００１７】
受信部１１で受信されるデジタル放送には、番組を構成する映像信号及び音声信号に加えて、番組情報、時間情報等が含まれている。ここで、番組情報は、番組に関する情報であり、各番組の名称、各番組の放送開始時刻や放送時間、各番組の内容の説明などを含んでいる。時間情報は、現在の日付や時刻などの時間に関する情報を含むものである。日本のデジタル放送では、番組に関する情報をＥＩＴ（Event Information Table ）に記述し、時間に関する情報をＴＯＴ（Time Offset Table ）に記述して、映像信号や音声信号等と共に送信することが非特許文献１において定められている。したがって、本実施形態では、番組情報がＥＩＴであり、時間情報がＴＯＴである場合について説明する。
【００１８】
ＴＯＴには、JST＿time （図２参照）を記述することが非特許文献１で定められている。このJST＿time は、現在の日本標準時（ＪＳＴ）と修正ユリウス日（ＭＪＤ）による現在の日付と時刻を示す現在時刻情報である。このJST＿time が記述されたＴＯＴを受信部１１が受信すると、放送受信装置１０のシステム時刻がJST＿time で示される時刻に更新される。これにより、放送受信装置１０は、放送局からの放送に連動した形で、時刻表示や録画予約などの時刻に関係する機能を実現することができる。
【００１９】
ところで、非特許文献１では、サマータイムの開始又は終了を通知するために、ＴＯＴにＬＴＯＤ（Local Time Offset Descriptor）を含めることが定められている。このＬＴＯＤは、JST＿time が示す時刻とサマータイムとの時間差を示す時差情報である。実際に現在の規格でサマータイムの開始又は終了を通知する場合には、JST＿time 及びＬＴＯＤを両方含んだＴＯＴが放送局から送信されることになる。
【００２０】
図２は、ＬＴＯＤが挿入されたＴＯＴの構造を示す図である。ＴＯＴに含まれる情報のうち、本発明と直接関係する情報について以下に説明する。JST＿time は、上述のように、現在の日付と時刻を示す現在時刻情報である。Local＿time＿offset＿polarity は、local＿time＿offset 及びnext＿time＿offsetの極性を指定する１ビットの情報である。local＿time＿offset＿polarity が「０」の場合、JST＿time に対して時間をオフセット時間分進めることを意味し、「１」のときはJST＿time に対して時間をオフセット時間分遅らせることを意味する。local＿time＿offset は、JST＿time が示す時刻とサマータイムとの時間差（オフセット時間）を示す情報である。time＿of＿changeは、次の異なるオフセット時間へ変更される日付と時刻を示す。next＿time＿offsetは、time＿of＿changeで指定された日付と時刻以降に適用される時間差（オフセット時間）を示す情報である。
【００２１】
例えば、local＿time＿offset＿polarity が「０」、local＿time＿offset が０分、time＿of＿changeが２００９年４月１日の午前２時、next＿time＿offsetが１時間である場合、現在の日付及び時刻がJST＿time で示される標準時間であり、２００９年４月１日の午前２時にJST＿time で示される日付及び時刻を１時間進めて、標準時間（ウインタータイム）からサマータイムに切り替えることを意味している。また、例えば、local＿time＿offset＿polarityが「０」、local＿time＿offset が１時間、time＿of＿changeが２００９年１０月１日の午前２時、next＿time＿offsetが０時間である場合、現在の日付及び時刻が、JST＿time で示される日付及び時刻よりも１時間進んだサマータイムであり、２００９年１０月１日の午前２時にサマータイムからJST＿time で示される標準時間（ウインタータイム）に戻ることを意味している。
【００２２】
このように、ＴＯＴにＬＴＯＤが含まれている場合には、ＴＯＴに基づいて、サマータイムが開始又は終了されることを判断することが可能である。しかしながら、現在の日本では、一部の地域でサマータイム制度の実証実験が行われているものの、サマータイム制度が本格的に実施されている訳ではない。このため、サマータイム制度が本格的に実施されることになれば、例えば、ＴＯＴにＬＴＯＤを含める代わりに、サマータイムの開始又は終了を基準時間（JST＿time）を変更することにより実施してしまうことも考えられる。このことを考慮して、本実施形態に係る放送受信装置１０は、ＬＴＯＤを用いることなくサマータイムの開始又は終了を判断する機能を備えている。この判断処理については、後に詳述する。
【００２３】
図３は、ＥＩＴの構造を示す図である。ＥＩＴには、電子番組表（ＥＰＧ：Electric Program Guide）を作成するために必要な情報が記述されている。このＥＩＴに記述されている情報のうち、本発明と直接関係する情報について以下に説明する。start＿time は、日本標準時（ＪＳＴ）と修正ユリウス日（ＭＪＤ）で番組の放送開始時刻を示す情報である。durationは、番組の放送時間（継続時間）を示す情報である。受信部１１は、各番組のstart＿time （以下「放送開始時刻」ともいう。）及びduration（以下「放送時間」ともいう。）を含むＥＩＴをＴＯＴと共に放送局から放送信号として受信し、トランスポートストリームとして信号分離部１２へ出力する。
【００２４】
図１に示される信号分離部１２は、受信部１１から出力されたトランスポートストリームに含まれている各情報を分離して各部１３，１４，１６，２０へ出力するものである。具体的には、信号分離部１２は、受信部１１によって受信されたデジタル放送のうち、音声信号を音声生成部１３へ出力し、映像信号を映像生成部１４へ出力し、ＥＩＴを番組情報抽出部１６へ出力し、ＴＯＴを制御部２０へ出力する。
【００２５】
音声生成部１３は、信号分離部１２から出力された音声信号を復号してスピーカ２２へ出力するものである。これにより、スピーカ２２から番組の音声が出力される。映像生成部１４は、信号分離部１２から出力された映像信号を復号して映像合成部１５へ出力する。映像合成部１５は、映像生成部１４から出力された映像信号と制御部２０によって作成された電子番組表（以下「ＥＰＧ」ともいう。）とを合成して表示部２１へ出力するものである。これにより、ＥＰＧを含む番組の映像が表示部２１に表示される。
【００２６】
番組情報抽出部１６は、信号分離部１２から出力されたＥＩＴに記述されている全ての情報を制御部２０へ出力するものである。すなわち、番組情報抽出部１６は、ＥＰＧを作成するために必要な情報を制御部２０へ出力する。さらに、番組情報抽出部１６は、信号分離部１２から出力されたＥＩＴから各番組の放送開始時刻及び放送時間を抽出して算出部１７へ出力する。
【００２７】
算出部１７は、番組情報抽出部１６から出力された放送開始時刻に放送時間を加算して、番組の放送終了時刻を算出するものである。例えば、ある番組の放送開始時刻が２時２０分でその放送時間が４０分である場合、その番組の放送終了時刻は３時００分と算出することができる。この算出部１７によって算出された番組の放送終了時刻は、時間差判断部１８へと出力される。
【００２８】
時間差判断部１８は、先行番組の放送終了時刻と後続番組の放送開始時刻との時間差の有無を判断するものである。具体的には、時間差判断部１８は、ある先行番組の放送終了時刻を算出部１７から取得するとともに、その先行番組に続く後続番組の放送開始時刻を番組情報抽出部１６から取得する。そして、時間差判断部１８は、後続番組の放送開始時刻と、先行番組の放送終了時刻とが一致するか否かを判断する。この時間差判断部１８の判断結果は、開始終了判断部１９へ出力される。
【００２９】
開始終了判断部１９は、時間差判断部１８によって時間差があると判断されたことを条件として、サマータイムが開始又は終了されると判断するものである。換言すれば、開始終了判断部１９は、時間差判断部１８によって時間差があると判断された場合に、標準時間からサマータイムに切り替えられる、或いは、サマータイムから標準時間に切り替えられると判断する。ただし、時間差がある場合でも、放送休止時間（番組が放送されていない時間帯）はサマータイムの開始／終了判断から除く。この開始終了判断部１９の判断処理については、後に詳述する。
【００３０】
制御部２０は、信号分離部１２、音声生成部１３、及び映像合成部１５を含む放送受信装置１０の各部の動作を制御するものである。この制御部２０は、信号分離部１２から出力されたＴＯＴに含まれているJST＿time に基づいて、放送受信装置１０のシステム時刻を校正する。また、制御部２０は、番組情報抽出部１６から出力されたＥＩＴの情報に基づいて、表示部２１で表示するためのＥＰＧを作成する。なお、開始終了判断部１９によってサマータイムが開始又は終了されると判断された場合には、制御部２０は、番組情報抽出部１６から出力されたＥＩＴの情報及び開始終了判断部１９の判断結果に基づいて、サマータイムの開始又は終了を示すＥＰＧを作成する。
【００３１】
なお、放送受信装置１０は、ハードウェアとしてはＣＰＵ、ＲＯＭ、ＲＡＭ、ハードディスク、チューナ、デコーダ、ディスプレイ、スピーカ等から構成され、ＲＯＭ又はハードディスクには、コンピュータプログラムが記憶されている。放送受信装置１０のＣＰＵがこのコンピュータプログラムに従って動作することにより、本実施形態に係る放送受信装置１０の機能が実現される。
【００３２】
以下、本実施形態に係る放送受信方法について図４に基づいて説明する。図４は、デジタル放送を受信した場合に、第１の実施形態に係る放送受信装置１０で行われる処理の手順を例示するフローチャートである。なお、以下のフローチャートに基づいて説明する放送受信装置１０の処理は、上記コンピュータプログラムに基づいて上記ＣＰＵが発行する命令に従って行われる。
【００３３】
受信部１１は、放送局から送信されたデジタル放送を受信したか否かを判断する（ステップＳ１）。すなわち、受信部１１は、映像信号、音声信号、ＥＩＴ、及びＴＯＴを含む信号を受信したか否かを判断する。映像信号、音声信号、ＥＩＴ、及びＴＯＴを受信していないと制御部２０が判断した場合（ステップＳ１：ＮＯ）、待機状態となる。映像信号、音声信号、ＥＩＴ、及びＴＯＴを受信したと受信部１１が判断した場合（ステップＳ１：ＹＥＳ）、信号分離部１２は、受信部１１が受信した信号からＥＩＴ及びＴＯＴを抽出する（ステップＳ２）。ところで、放送局からは、映像信号、音声信号、ＥＩＴ、ＴＯＴ等を細切れのパケットにし、これらのパケットを多重化したトランスポートストリーム（ＴＳ）が送信される。このため、ステップＳ２において、信号分離部１２は、受信部１１によって受信されたＴＳを多重化される前の個別のデータに分離する処理を行う。これにより、映像信号が映像生成部１４へ出力され、音声信号が音声生成部１３へ出力され、ＥＩＴが番組情報抽出部１６へ出力され、ＴＯＴが制御部２０へ出力される。
【００３４】
上述のように、ＴＯＴには、現在の日時及び時刻を示すJST＿time が含まれている。このため、制御部２０は、信号分離部１２から出力されたＴＯＴに含まれているJST＿timeに基づいて、放送受信装置１０が備える内部時計を校正する（ステップＳ３）。すなわち、システム時刻をJST＿time が示す時刻に更新する。
【００３５】
信号分離部１２からＥＩＴが出力されると、番組情報抽出部１６は、受信部１１がデジタル放送を受信可能な４つの放送チャンネルの中から、いずれか１つの放送チャンネルを選択する（ステップＳ４）。次に、番組情報抽出部１６は、選択した放送チャンネルの全番組の中からいずれか１つの番組を先行番組として指定する（ステップＳ５）。そして、番組情報抽出部１６は、信号分離部１２から出力されたＥＩＴの情報の中から、先行番組として指定した番組の放送開始時刻及び放送時間を抽出して算出部１７へと出力するとともに、先行番組に続く後続番組の放送開始時刻をＥＩＴから抽出して時間差判断部１８へと出力する。
【００３６】
番組情報抽出部１６から先行番組の放送開始時刻及び放送時間が出力されると、算出部１７は、その放送開始時刻に放送時間を加算して、先行番組の放送終了時刻を算出する（ステップＳ６）。例えば、先行番組Ａの放送開始時刻が２時２０分であり、放送時間が４０分である場合、先行番組Ａの放送終了時刻は３時００分となる。この算出部１７が算出した先行番組の放送終了時刻は、時間差判断部１８へと出力される。
【００３７】
続いて、時間差判断部１８は、後続番組の放送開始時刻と先行番組の放送終了時刻との時間差の有無を判断する（ステップＳ７）。具体的には、時間差判断部１８は、番組情報抽出部１６から出力された後続番組の放送開始時刻と、ステップＳ６で算出された先行番組の放送終了時刻とを比較して、これらの時刻が一致するか否かを判断する。例えば、先行番組Ａに続く後続番組Ｂの放送開始時刻が３時００分である場合、時間差はゼロであり、後続番組Ｂの放送開始時刻と先行番組Ａの放送終了時刻とが一致していると判断することができる。また、例えば、後続番組Ｂの放送開始時刻が２時００分である場合、１時間の時間差があると判断することができる。この時間差判断部１８の判断結果は、開始終了判断部１９へと出力される。
【００３８】
時間差判断部１８によって時間差がないと判断された場合（ステップＳ７：ＮＯ）、番組情報抽出部１６は、ステップＳ４で選択した放送チャンネルの全番組について、時間差判断部１８が時間差の有無を判断したか否かを判断する（ステップＳ８）。時間差の有無を判断していない番組があると番組情報抽出部１６が判断した場合（ステップＳ８：ＮＯ）、処理がステップＳ５へ戻される。すなわち、ステップＳ４で選択された放送チャンネルについて、先行番組と後続番組とが順次変更されながら、時間差判断部１８による時間差の有無の判断処理が行われる。例えばＥＩＴに８日分の番組情報が含まれている場合、時間差判断部１８は、番組情報抽出部１６が選択したチャンネルの８日分の全番組について時間差の有無を判断する。
【００３９】
ステップＳ４で選択された放送チャンネルの全番組について後続番組の放送開始時刻と先行番組の放送終了時刻とに時間差がなかった場合（ステップＳ８：ＹＥＳ）、開始終了判断部１９は、サマータイムが開始も終了もされないと判断することができる。換言すれば、標準時間とサマータイムとの切り替えは行われないと判断することができる。このような場合、制御部２０は、番組情報抽出部１６から出力されたＥＩＴの情報に基づいて通常のＥＰＧを作成し、映像合成部１５に映像信号と合成させてから表示部２１に表示させる（ステップＳ９）。このため、表示部２１には、サマータイムの開始又は終了を示す情報が含まれていないＥＰＧが表示される。
【００４０】
開始終了判断部１９は、後続番組の放送開始時刻と先行番組の放送終了時刻との時間差があると判断した場合（ステップＳ７：ＹＥＳ）、受信部１１がデジタル放送を受信可能な全放送チャンネル（ここでは４つの放送チャンネル）のうち、ステップＳ４で選択されていない他の放送チャンネルがあるか否かを判断する（ステップＳ１０）。他の放送チャンネルがあると開始終了判断部１９が判断した場合（ステップＳ１０：ＹＥＳ）、処理がステップＳ４へ戻される。したがって、本実施形態では、開始終了判断部１９によって、後続番組の放送開始時刻と先行番組の放送終了時刻との時間差の有無を判断する処理が４つの放送チャンネル（本発明の所定数の一例）について行われる（図５及び図７参照）。
【００４１】
続いて、開始終了判断部１９は、後続番組の放送開始時刻が先行番組の放送終了時刻よりも後の時刻であるか否かを判断する（ステップＳ１１）。ここでは、４つの放送チャンネルについて、先行番組と後続番組の時間差が生じている。このため、開始終了判断部１９は、時間差がある先行番組と後続番組について、後続番組の放送開始時刻が先行番組の放送終了時刻よりも後の時刻であるか前の時刻であるかを、４つの放送チャンネルについてそれぞれ判断する。
【００４２】
図５は、ＥＩＴからサマータイムの開始又は終了を判断する処理について説明するための図である。図５に示される例では、後続番組Ｂ，Ｄ，Ｆ，Ｈの放送開始時刻が、先行番組Ａ，Ｃ，Ｅ，Ｇの放送終了時刻よりも１時間後の時刻となっている。ところで、サマータイムの開始に際しては、時刻を例えば１時間進めるといった運用がなされる。このため、図５に示される例では、先行番組Ａ，Ｃ，Ｅ，Ｇの放送終了時刻は標準時間であり、後続番組Ｂ，Ｄ，Ｆ，Ｈの放送開始時刻はサマータイムで示されていると考えられる。つまり、サマータイムが開始されると判断することができる。したがって、開始終了判断部１９は、後続番組の放送開始時刻が先行番組の放送終了時刻よりも後の時刻であると判断した場合（ステップＳ１１：ＹＥＳ）、サマータイムが開始されると判断する（ステップＳ１２）。この判断結果は、開始終了判断部１９から制御部２０へと出力される。制御部２０は、番組情報抽出部１６から出力されたＥＩＴの情報及び開始終了判断部１９の判断結果に基づいて、サマータイムの開始を示すＥＰＧを作成する。このようにして作成されたＥＰＧは、映像合成部１５によって映像信号と合成されて、表示部２１に表示される（ステップＳ１３）。
【００４３】
図６は、サマータイムが開始されることを示すＥＰＧの表示例を示す図である。図５に示される例では、後続番組Ｂ，Ｄ，Ｆ，Ｈの放送開始時刻が先行番組Ａ，Ｃ，Ｅ，Ｇの放送終了時刻よりも１時間遅れている。このような場合、制御部２０は、後続番組Ｂ、Ｄ、Ｆ、Ｈの放送開始時刻の直前の正時から時間を１時間進ませ、標準時間とサマータイムとの境界を示す表記（図６中の波線を参照）を含んだＥＰＧ（ＥＰＧ画像）を生成する（図６参照）。したがって、ユーザは、図６に示されるＥＰＧを見て、標準時間がサマータイムに変更されること、すなわちサマータイムが開始されることを容易に認識することができる。
【００４４】
図７は、ＥＩＴからサマータイムの開始又は終了を判断する処理について説明するための図である。図７に示される例では、後続番組Ｂ，Ｄ，Ｆ，Ｈの放送開始時刻が、先行番組Ａ，Ｃ，Ｅ，Ｇの放送終了時刻よりも１時間前の時刻となっている。ところで、サマータイムの終了に際しては、時刻を例えば１時間戻すといった運用がなされる。このため、図７に示される例では、先行番組Ａ，Ｃ，Ｅ，Ｇの放送終了時刻はサマータイムであり、後続番組Ｂ，Ｄ，Ｆ，Ｈの放送開始時刻は標準時刻で示されていると考えられる。つまり、サマータイムが終了されると判断することができる。したがって、開始終了判断部１９は、後続番組の放送開始時刻が先行番組の放送終了時刻よりも前の時刻であると判断した場合（ステップＳ１１：ＮＯ）、サマータイムが終了されると判断する（ステップＳ１４）。この判断結果は、開始終了判断部１９から制御部２０へと出力される。制御部２０は、番組情報抽出部１６から出力されたＥＩＴの情報及び開始終了判断部１９の判断結果に基づいて、サマータイムの終了を示すＥＰＧを作成する。このようにして作成されたＥＰＧは、映像合成部１５によって映像信号と合成されて、表示部２１に表示される（ステップＳ１５）。
【００４５】
図８は、サマータイムが終了されることを示すＥＰＧの表示例を示す図である。図７に示される例では、後続番組Ｂ，Ｄ，Ｆ，Ｈの放送開始時刻が先行番組Ａ，Ｃ，Ｅ，Ｇの放送終了時刻よりも１時間遡っている。このような場合、制御部２０は、後続番組Ｂ，Ｄ，Ｆ，Ｈの放送開始時刻の直前の正時から時間を１時間戻し、サマータイムと標準時間との境界を示す表記（図８中の波線を参照）を含んだＥＰＧ（ＥＰＧ画像）を生成する（図８参照）。したがって、ユーザは、図８に示されるＥＰＧを見て、サマータイムが標準時間に変更されること、すなわちサマータイムが終了されることを容易に認識することができる。
【００４６】
以上説明したように、本実施形態に係る放送受信装置１０によれば、ＥＩＴに含まれる放送開始時刻及び放送時間に基づいて、サマータイムが開始又は終了されることが判断される。このため、ＬＴＯＤを用いることなくサマータイムの開始又は終了を判断することができる。したがって、サマータイム制度の運用に際して、ＴＯＴにＬＴＯＤを含める代わりに、例えばＴＯＴのJST＿time を変更するような運用がなされた場合でも、サマータイムの開始又は終了を判断することができる。
【００４７】
また、本実施形態では、４つの放送チャンネル全てについて時間差があることを条件としてサマータイムが開始又は終了されると判断される。このため、例えば１つの放送チャンネルに対して時間差があることを条件としてサマータイムが開始又は終了されると判断される場合に比べて、判断処理の確度を向上させることができる。
【００４８】
なお、本実施形態では、サマータイムに移行する前の標準時間と、サマータイムとの時間差が１時間である形態について説明したが、この時間差は、１時間に限定されるものではない。標準時間とサマータイムとの時間差は、日照条件等により適宜変更されるものであり、例えば３０分や２時間であってもよい。
【００４９】
また、本実施形態では、時間差の長さに関係なく、時間差がある場合にサマータイムが開始又は終了されると判断する形態について説明したが、時間差が極端に短い場合（例えば数分）は、サマータイムが開始又は終了されるとは考えにくい。したがって、閾値（例えば１時間）を設定し、時間差がこの閾値以上であることを条件として、サマータイムが開始又は終了されると判断するようにしてもよい。
【００５０】
（第２の実施形態）
以下、本発明の第２の実施形態について説明する。図９は、本発明の第２の実施形態に係る放送受信装置１０の構成を示すブロック図である。図９に示されるように、放送受信装置１０は、受信部１１、信号分離部１２、音声生成部１３、映像生成部１４、映像合成部１５、番組情報抽出部１６、算出部１７、時間差判断部１８、開始終了判断部１９、制御部２０、表示部２１、スピーカ２２、及び時間情報判断部２５を備えている。第２の実施形態に係る放送受信装置１０は、時間情報判断部２５を更に備えている点が異なる他は、第１の実施形態と同様の構成である。以下、この異なる構成部分を中心に、第２の実施形態に係る放送受信装置１０について説明する。
【００５１】
信号分離部１２は、抽出したＴＯＴを制御部２０と共に時間情報判断部２５へも出力する。時間情報判断２５は、信号分離部１２から出力されたＴＯＴに、JST＿time 及びＬＴＯＤの両方が含まれているか否かを判断する。この判断結果は、開始終了判断部１９へと出力される。なお、ＴＯＴにJST＿time 及びＬＴＯＤの両方が含まれている場合には、JST＿time 及びＬＴＯＤが時間情報判断部２５から開始終了判断部１９へと出力される。この場合、開始終了判断部１９は、JST＿time 及びＬＴＯＤに基づいて、サマータイムが開始又は終了されることを判断する。
【００５２】
以下、本実施形態に係る放送受信方法について図１０に基づいて説明する。図１０は、デジタル放送を受信した場合に、第２の実施形態に係る放送受信装置１０で行われる処理の手順を例示するフローチャートである。なお、図１０において、図４と同一の処理を行うステップについては、同一のステップ番号を付してその説明を省略する。
【００５３】
上記ステップＳ３の処理に続いて、時間情報判断２５は、ＴＯＴにＬＴＯＤが含まれているか否かを判断する（ステップＳ２２）。換言すれば、時間情報判断２５は、受信部１１によって受信されたＴＯＴにJST＿time 及びＬＴＯＤの両方が含まれているか否かを判断する。ＴＯＴにＬＴＯＤが含まれていないと時間情報判断２５が判断した場合（ステップＳ２２：ＮＯ）、処理が上述したステップＳ４へ進められる。つまり、ＴＯＴにＬＴＯＤが含まれていない場合には、第１の実施形態で説明したように、後続番組の放送開始時刻と先行番組の放送終了時刻との時間差の有無に基づいて、サマータイムが開始又は終了されることが判断される。
【００５４】
ＴＯＴにＬＴＯＤが含まれていると時間情報判断２５が判断した場合（ステップＳ２２：ＹＥＳ）、開始終了判断部１９は、ＴＯＴに基づいて、サマータイムが開始又は終了されることを判断する（ステップＳ２３）。このＴＯＴに基づく判断処理は第１の実施形態で上述した通りであるので、ここでの詳細な説明は省略する。
【００５５】
この開始終了判断部１９の判断結果は、制御部２０へ出力される。制御部２０は、番組情報抽出部１６から出力されたＥＩＴの各情報、及び開始終了判断部１９の判断結果に基づいて、サマータイムの開始又は終了を示すＥＰＧを作成する。このＥＰＧは、映像合成部１５によって映像信号と合成されてから表示部２１に表示される（ステップＳ２４）。このステップＳ２４で表示されるＥＰＧは、図６や図８で例示されたものと同様のものである。
【００５６】
以上説明したように、第２の実施形態に係る放送受信装置１０では、ＴＯＴにＬＴＯＤが含まれている場合には、ＴＯＴに基づいて、サマータイムが開始又は終了されることが判断される。したがって、サマータイムの開始又は終了が、ＴＯＴにＬＴＯＤを含めることによって通知される場合と、JST＿time を変更することによって通知される場合とのいずれの場合であっても、サマータイムが開始又は終了されることを確実に判断することができる。
【００５７】
なお、本実施形態では、ＴＯＴにＬＴＯＤが含まれている場合（ステップＳ２２で「ＹＥＳ」）に、番組情報抽出部１６、算出部１７、及び時間差判断部１８にステップＳ４〜ステップＳ１１の処理を実行させることなく、開始終了判断部１９がＴＯＴに基づいてサマータイムの開始又は終了を判断する形態について説明した。これに代えて、上述のように時間差判断部１８に時間差の有無を判断させ、開始終了判断部１９が時間差判断部１８の判断結果及びＴＯＴのいずれか一方を選択して、サマータイムの開始又は終了を判断するようにしてもよい。
【００５８】
また、時間差判断部１８の判断結果、及びＴＯＴに含まれている情報の両方を考慮して、開始終了判断部１９がサマータイムの開始又は終了を判断してもよい。これにより、仮に誤ったサマータイムの情報を含むＴＯＴが放送局から送信された場合でも、時間差判断部１８の判断結果を用いてサマータイムの開始又は終了を正確に判断することができるので、サマータイムの開始又は終了を判断する処理の確度がさらに向上する。
【００５９】
（第３の実施形態）
以下、本発明の第３の実施形態について説明する。第１の実施形態では、４つの放送チャンネル全てについて時間差がある場合にサマータイムが開始又は終了されると判断する形態について説明したが、本発明の所定数は「４」に限定されるものではない。例えば、放送受信装置１０が番組を受信可能な４つの放送チャンネルのうち、２つの放送チャンネルで時間差がある場合に、サマータイムが開始又は終了されると判断してもよい。この第３の実施形態に係る放送受信装置１０は、第２の実施形態に係る放送受信装置１０と同じ構成を有している。
【００６０】
図１１は、デジタル放送を受信した場合に、第３の実施形態に係る放送受信装置１０で行われる処理の手順を例示するフローチャートである。図１１において、図４及び図１０と同一の処理を行うステップについては、同一のステップ番号を付してその説明を省略する。
【００６１】
時間差判断部１８によって時間差があると判断された場合（ステップＳ７：ＹＥＳ）、開始終了判断部１９は、時間差がある放送チャンネルが所定数（例えば２つ）あるか否かを判断する（ステップＳ２６）。時間差がある放送チャンネルが所定数未満である、すなわち、時間差がある放送チャンネルが１つであると判断した場合（ステップＳ２６：ＮＯ）、処理がステップＳ１０へ進められる。逆に、時間差がある放送チャンネルが所定数あると開始終了判断部１９が判断した場合（ステップＳ２６：ＹＥＳ）、処理がステップＳ１１へ進められる。
【００６２】
すなわち、放送受信装置１０がデジタル放送を受信可能な全て（例えば４つ）の放送チャンネルのうち、所定数（例えば２つ）の放送チャンネルについて時間差があれば、サマータイムが開始又は終了されると判断される。したがって、ある程度の確度を維持しつつ、サマータイムが開始又は終了されることを迅速に判断することができる。
【００６３】
なお、第１の実施形態〜第３の実施形態では、複数の放送チャンネルについて時間差が検出されたことを条件として、サマータイムが開始又は終了されると判断する場合について説明した。これに代えて、時間差がある放送チャンネルが１つでもあれば、サマータイムが開始又は終了されると判断してもよい。すなわち、図４及び図１０におけるステップＳ１０の処理、図１１におけるステップＳ２６及びステップＳ１０の処理を削除してもよい。ただし、サマータイムが開始又は終了されることをより正確に判断するためには、複数のチャンネルについて時間差の有無を判断することが好ましい。
【００６４】
また、第１実施形態〜第３実施形態では、ＥＩＴに番組の放送開始時刻及び放送時間が含まれている場合について説明したが、これに代えて、ＥＩＴに番組の放送開始時刻及び放送終了時刻が含まれていてもよい。この場合、番組の放送終了時刻を算出する算出部１７が不要となるため、放送受信装置１０の構成を簡略化することができる。
【産業上の利用可能性】
【００６５】
本発明は、番組の名称、放送日時、内容の説明などの番組に関する情報を受信する放送受信装置や放送受信方法等に適用可能である。
【図面の簡単な説明】
【００６６】
【図１】本発明の第１の実施形態に係る放送受信装置１０の構成を示すブロック図
【図２】ＬＴＯＤが挿入されたＴＯＴの構造を示す図
【図３】ＥＩＴの構造を示す図
【図４】デジタル放送を受信した場合に、第１の実施形態に係る放送受信装置１０で行われる処理の手順を例示するフローチャート
【図５】ＥＩＴからサマータイムの開始又は終了を判断する処理について説明するための図
【図６】サマータイムが開始されることを示すＥＰＧの表示例を示す図
【図７】ＥＩＴからサマータイムの開始又は終了を判断する処理について説明するための図
【図８】サマータイムが終了されることを示すＥＰＧの表示例を示す図
【図９】本発明の第２の実施形態に係る放送受信装置１０の構成を示すブロック図
【図１０】デジタル放送を受信した場合に、第２の実施形態に係る放送受信装置１０で行われる処理の手順を例示するフローチャート
【図１１】デジタル放送を受信した場合に、第３の実施形態に係る放送受信装置１０で行われる処理の手順を例示するフローチャート
【符号の説明】
【００６７】
１０  放送受信装置
１１  受信部
１６  番組情報抽出部
１７  算出部
１８  時間差判断部
１９  開始終了判断部
２０  制御部
２１  表示部
２５  時間情報判断部
【図１】
2010141530.tif 000003
【図２】
2010141530.tif 000004
【図３】
2010141530.tif 000005
【図４】
2010141530.tif 000006
【図５】
2010141530.tif 000007
【図６】
2010141530.tif 000008
【図７】
2010141530.tif 000009
【図８】
2010141530.tif 000010
【図９】
2010141530.tif 000011
【図１０】
2010141530.tif 000012
【図１１】
2010141530.tif 000013